(57)【要約】【課題】小型化への対応を図ることができ、かつ、確実な絶縁のもとで容易に組み込むこともできる静電誘導検出器のための電圧センサおよびクリップの提供。【解決手段】可撓性を有する絶縁シート１２と、該絶縁シート１２に配設される導電層２２と、導電層２２を覆う絶縁カバー４３とで構成され、導電層２２は、絶縁シート１２の面サイズの大半を覆う主面部２３と、該主面部２３から引き出された引出し部２４とからなり、絶縁カバー４３は、引出し部２４の開放端部２５が位置する面領域を除く絶縁シート１２の全面に被覆して電圧センサ１１を形成し、これをクリップに組み込んだ。【選択図】図１
2006030141.tif 000002
【特許請求の範囲】
【請求項１】
可撓性を有して適宜の平面形状を呈する絶縁シートと、該絶縁シートの面内に納まるようにその一側面と他側面とに各別に配設される導電層とで少なくとも構成され、
該導電層のそれぞれは、前記絶縁シートの面サイズの大半を覆う主面部と、該主面部から引き出された引出し部とで形成したことを特徴とする静電誘導検出器のための電圧センサ。
【請求項２】
前記一側面側の前記引出し部と前記他側面側の前記引出し部とは、これを透視した際に左右対称となる位置関係で各対応主面部から引き出された請求項１に記載の静電誘導検出器のための電圧センサ。
【請求項３】
前記引出し部の開放端部が位置する面領域を除く絶縁シートの全面は、可撓性を有する絶縁カバーで覆った請求項１または２に記載の静電誘導検出器のための電圧センサ。
【請求項４】
帯電体を保持するために開閉される各湾曲保持部側が常閉方向に付勢されて一体的に軸支される一側クリップ部と他側クリップ部とで構成され、これら一側クリップ部と他側クリップ部との各湾曲保持部の内側面側には、請求項１ないし３のいずれかに記載の電圧センサを添設したことを特徴とする静電誘導検出器用のクリップ。
【発明の詳細な説明】
【技術分野】
【０００１】
本発明は、検相器や検電器などの静電誘導検出器が備えるクリップに配設して帯電体としての交流電路から静電誘導させるセンサ電極を、その構造を簡素化してクリップの小型化にも対応させて容易に組み込むことができるようにした静電誘導検出器のための電圧センサおよびクリップに関する技術である。
【背景技術】
【０００２】
検相器や検電器などの静電誘導検出器が備えるクリップには、検出対象である帯電体としての交流電路から静電誘導により電荷を検出するためのセンサ電極が配設されている。
【０００３】
図４は、静電誘導検出器のひとつである検相器が備えるクリップの従来構造例を半割りした状態で示す説明図であり、一側クリップ部２と他側クリップ部３とは、略Ｖ字形を呈する捩りコイルばね４を介装させた支軸５を介することで、帯電体を保持するために開閉される各湾曲保持部６，７側が常閉状態となって一体的に軸支されてクリップ１の全体が形成されている。
【０００４】
また、各湾曲保持部６，７の内側には、電圧センサ８が各別に配設されており、帯電体としての交流電路を保持させ際に静電誘導により電荷を検出することができるようになっている。
【０００５】
この例における各電圧センサ８は、交流電路側に配置されるセンサ電極片８ａと、他の近接交流電路より発生する外乱静電誘導を遮蔽するためにセンサ電極片８ａの外側近傍にてこれに沿わせるようにして配置されるシールド電極片８ｂとを、絶縁塗料を塗布した絶縁層や、絶縁フィルムや絶縁テープなどの図示しない絶縁材を介在させた上で組み合わせることにより形成されている。
【０００６】
この場合、センサ電極片８ａとシールド電極片８ｂとには、銅板などの板状導電金属材を例えばプレスや機械加工などの成形手法を用いて形成されたものが使用されている。
【０００７】
また、従来からある検相器には、環状モールド成形体の中に電圧検出用電極と電流検出用電極とを封入し、電圧検出用電極を電流検出用電極の内側に配置し、かつ、両者間に遮蔽層を設けたものもある。
【特許文献１】特公平１−２６５１０号公報
【発明の開示】
【発明が解決しようとする課題】
【０００８】
しかし、図４に示す従来例が備える電圧センサ８は、別体として用意されるセンサ電極片８ａとシールド電極片８ｂとを組み合わせて形成されるものであることから、絶縁をとって相互を近接配置することには困難があるばかりでなく、一側クリップ部２と他側クリップ部３の側への組み込みも難しいなど、比較的小型なものに対応させることには構造的な難しがあった。
【０００９】
また、特許文献１に開示されている従来例は、異相線からの静電誘導を防ぐ遮蔽層が電圧検出用電極とは別体となって設けられている点で、図４に示す従来例と同様な課題をかかえるものであった。
【００１０】
本発明は、従来技術にみられた上記課題に鑑み、小型化によく対応させることができるばかりでなく、絶縁を確実にしてその組み込みも容易なものとすることができる静電誘導検出器のための電圧センサおよびクリップを提供することに目的がある。
【課題を解決するための手段】
【００１１】
本発明は、上記目的を達成すべくなされたものであり、そのうちの第１の発明は、可撓性を有して適宜の平面形状を呈する絶縁シートと、該絶縁シートの面内に納まるようにその一側面と他側面とに各別に配設される導電層とで少なくとも構成され、該導電層のそれぞれは、前記絶縁シートの面サイズの大半を覆う主面部と、該主面部から引き出された引出し部とで形成したことを最も主要な特徴とする。
【００１２】
この場合、前記一側面側の前記引出し部と前記他側面側の前記引出し部とは、これを透視した際に左右対称の位置関係となるようにして各対応主面部から引き出すのが望ましい。また、前記引出し部の開放端部が位置する面領域を除く絶縁シートの全面は、可撓性を有する絶縁カバーで覆ってもよい。
【００１３】
一方、第２の発明は、帯電体を保持するために開閉される各湾曲保持部側が常閉方向に付勢されて一体的に軸支される一側クリップ部と他側クリップ部とで構成され、これら一側クリップ部と他側クリップ部との各湾曲保持部の内側面側には、上記電圧センサを添設したことを最も主要な特徴とする。
【発明の効果】
【００１４】
本発明のうち、請求項１に係る発明（第１の発明）によれば、絶縁シートを介して相互を完全に絶縁させた一方の導電層をセンサ電極として、他方の導電層をシールド電極としてそれぞれ用いることができる可撓性のある一体物として提供することができる。
【００１５】
また、請求項３に係る発明（第２の発明）によれば、可撓性のある一体物として電圧センサを組み込むことができるので、クリップ自体の小型化を実現できるばかりでなく、その組立て作業も簡素化することができる。
ことができる。
【発明を実施するための最良の形態】
【００１６】
図１は、第１の発明である電圧センサの一例を示す平面図であり、図２（ａ）は、図１におけるＡ−Ａ線矢視方向での断面図を、図２（ｂ）は、図１におけるＢ−Ｂ線矢視方向での断面図を、図２（ｃ）は、図１におけるＣ−Ｃ線矢視方向での断面図をそれぞれ示す。
【００１７】
これらの図によれば、静電誘導検出器が備える図３に示すようなクリップ  に配設される電圧センサ１１は、可撓性を有して適宜の平面形状を呈する絶縁シート１２と、該絶縁シート１２の面内に納まるようにその一側面１３と他側面１４とに各別に配設される導電層２２，３２と、可撓性を有してこれらの導電層２２，３２側を各別に覆う絶縁カバー４３とで構成されている。
【００１８】
このうち、絶縁シート１２は、例えばポリエステルフィルムやポリイミドフィルムなどの絶縁性樹脂製のシート状薄片からなる略方形を呈する基片部１３と、該基片部１３の一辺側からその面方向に一体となって延設されている略方形を呈する舌片部１４とで形成されている。
【００１９】
絶縁シート１２の一側面１３側に銅箔を付着して形成される導電層２２は、絶縁シート１２における基片部１５側をその周囲に余白を残してほぼ覆う主面部２３と、該主面部２３から舌片部１６方向にその途中まで引き出された比較的狭幅な引出し部２４とで形成されている。
【００２０】
また、絶縁シート１２の他側面１４側に銅箔を付着して形成される導電層３２は、絶縁シート１２における基片部１５側をその周囲に余白を残してほぼ覆う主面部３３と、該主面部３３から舌片部１６方向にその途中まで引き出された比較的狭幅な引出し部３４とで形成されている。
【００２１】
このため、導電層２２，３２は、絶縁シート１２の基片部１５を介してその一側面１３と他側面１４にて対面合致する主面部２３，３３と、絶縁シート１２の舌片部１６を介して相互に左右対称の位置関係となる引出し部２４，３４とで構成されることになる。なお、引出し部２４，３４の終端からは、図示は省略してあるが舌片部１６の開放端に到達するリードがそれぞれ一体形成されている。
【００２２】
絶縁カバー４３のそれぞれは、適宜の絶縁塗料を塗布した絶縁層や、ポリエステルフィルムやポリイミドフィルムなどからなる絶縁フィルムや絶縁テープを貼着するなどして形成されるものであり、これにより引出し部２４，３４の開放端部２５，３５が位置する面領域を除く絶縁シート１２の一側面１３と他側面１４との全面が覆われる。なお、電圧センサ１１は、そのいずれか一方の面に予め接着剤を塗着しておくことで、この接着剤を有する面をセンサ電極側として、接着剤を有しない面をシールド電極側として用いることができる。
【００２３】
次に、第２の発明であるクリップにつき、第１の発明である電圧センサ１１が奏する作用・効果とともに説明する。
【００２４】
図３は、本発明に係るクリップの一例を半割りした状態で示す説明図であり、一側クリップ部５２と他側クリップ部５３とは、略Ｖ字形を呈する捩りコイルばね５４を介装させた支軸５５を介することで、帯電体としての交流電路を保持するために開閉される各湾曲保持部５６，５７側が常閉状態となって一体的に軸支されてクリップ５１の全体が形成されている。
【００２５】
また、各湾曲保持部５６，５７の内側には、電圧センサ１１が各別に配設されており、帯電体としての交流電路を保持させ際に静電誘導により電荷を検出することができるようになっている。
【００２６】
すなわち、一側クリップ部５２の湾曲保持部５６の内側には、絶縁シート１２の一側面１３側を対面させ、かつ、他側面１４の導電層３２の引出し部３４側が支軸５５側に向くように目視される配置関係のもとで、電圧センサ１１が湾曲保持部５６の曲面に沿うように接合固着するなどして位置固定されている。
【００２７】
また、他側クリップ部５３の湾曲保持部５７の内側には、絶縁シート１２の一側面１３側を対面させ、かつ、一側面１３の導電層２２の引出し部２４側が支軸５５側に向くように目視される配置関係のもとで、電圧センサ１１が湾曲保持部５７の曲面に沿うように接合固着するなどして位置固定されている。
【００２８】
このため、クリップ５１に配設された各電圧センサ１１は、一側クリップ部５２側の導電層２２と他側クリップ部５３側の導電層２２とをそれぞれ帯電体としての交流電路側に配置してセンサ電極として機能させることができる。
【００２９】
また、クリップ５１に配設された各電圧センサ１１は、一側クリップ部５２側の導電層３２と他側クリップ部５３側の導電層３２とを三相交流電路や束ねられている交流電路における他の近接交流電路側に配置してこれから発生する外乱静電誘導を遮蔽するシールド電極として機能させることができる。
【００３０】
しかも、各電圧センサ１１自体は、それぞれ一体物として形成されているので、一側クリップ部５２側と他側クリップ部５３側とに単に貼着するなど、極簡単に組み込んでクリップ１１を形成することができる。また、導電層２２と導電層３２とは、絶縁シート１２と絶縁カバー４３とに封入されるようにしてで確実に絶縁されているので、結露等の短絡要因が存在しても相互間の抵抗が下がりにくく、したがって、電荷を安定的に検出することができる。
【００３１】
以上は、本発明を図示例に基づいて説明したものであり、その技術的な範囲はこれに限定されるものではない。例えば、絶縁シート１２や導電層２２，３２の平面形状は、所望に応じてこれを変形することが可能であり、導電層２２，３２も相互に対面合致する同一形状とすることもできる。また、特に耐電圧特性の向上を図ったり、結露の影響を受けないようにする必要がない場合には、絶縁カバーで覆わないものであってもよい。さらに、クリップ５１自体の形状も適宜設計変更をすることができる。
【産業上の利用可能性】
【００３２】
検相器や検電器などの静電誘導検出器に具備させて帯電体としての交流電路から静電誘導させるために用いる各種のクリップに組み込むことができる汎用性のある電圧センサおよびこれを組み込んだクリップとして、その利用領域は広範である。
【図面の簡単な説明】
【００３３】
【図１】電圧センサ（第１の発明）の一例を示す一部を省略した平面図。
【図２】図２（ａ）は、図１におけるＡ−Ａ線矢視方向での断面図を、図２（ｂ）は、図１におけるＢ−Ｂ線矢視方向での断面図を、図２（ｃ）は、図１におけるＣ−Ｃ線矢視方向での断面図をそれぞれ示す。
【図３】本発明に係るクリップの一例を半割りした状態で示す説明図。
【図４】静電誘導検出器のひとつである検相器が備えるクリップの従来構造例を半割りした状態で示す説明図。
【符号の説明】
【００３４】
１１  電圧センサ
１２  絶縁シート
１３  一側面
１４  他側面
１５  基片部
１６  舌片部
２２，３２  導電層
２３，３３  主面部
２４，３４  引出し部
２５，３５  開放端部
４３  絶縁カバー
５１  クリップ
５２  一側クリップ部
５３  他側クリップ部
５４  捩りコイルばね
５５  支軸
５６，５７  湾曲保持部
【図１】
2006030141.tif 000003
【図２】
2006030141.tif 000004
【図３】
2006030141.tif 000005
【図４】
2006030141.tif 000006